(57)【特許請求の範囲】
【請求項１】
切妻形状の屋根の上面に、太陽光を受光する太陽電池パネルが設置されるとともに、これら屋根と太陽電池パネルとの間に通気層が形成されており、
前記屋根の軒先側端部には軒樋が取り付けられており、
前記通気層の軒先側端部には軒先換気口が設けられており、
前記太陽電池パネルの軒先側端部と軒樋の外側縁部との間には、これら太陽電池パネルの軒先側端部と軒樋の外側縁部との間の部分を遮蔽する軒先カバー材が前記軒先換気口を覆うように設けられており、
前記太陽電池パネルの軒先側端部と軒樋とは間隔をあけて配置されており、
これら太陽電池パネルの軒先側端部と軒樋との間には、前記軒先カバー材の下方に位置するとともに、前記通気層の軒先換気口と連通する通気路が形成され、
前記軒先カバー材には、前記軒樋の上方に位置するとともにこの軒先カバー材を厚さ方向に貫通する複数の排水孔が形成された排水部と、前記通気路の上方に位置するとともに複数の排水孔が形成されない送水部とが備えられ、
前記排水部は、この排水部の外側縁部に沿いこの排水部の上面よりも深く形成された排水溝を有し、この排水溝は雨水を軒樋に流す複数の排水孔を有しており、
かつ、前記屋根の妻側端部には、下端部が、前記軒樋に連通する妻側樋が取り付けられており、
前記太陽電池パネルの妻側端部と妻側樋の外側縁部との間には、太陽電池パネルの妻側端部と妻側樋の外側縁部との間の部分を遮蔽する妻側カバー材が設けられており、
前記妻側カバー材には、この妻側カバー材を厚さ方向に貫通する複数の排水孔および外側縁部に沿った排水溝が前記妻側樋の上方に位置して形成されており、
さらに、前記妻側樋は、下端部が前記軒樋に連通され、前記軒先カバー材と妻側カバー材とは、軒先カバー材の端部と妻側カバー材の傾斜方向下端部とにそれぞれ接続される平面視略Ｌ字状の外曲がりカバー材によって連結されており、この外曲がりカバー材には、この外曲がりカバー材を厚さ方向に貫通する複数の排水孔および排水溝が形成され、この外曲がりカバー材の排水溝を介して、前記軒先カバー材の排水溝と、前記妻側カバー材の排水溝とが連通されていることを特徴とする屋根構造。
【発明の詳細な説明】
【技術分野】
【０００１】
本発明は、太陽光を受光する太陽電池パネルが上面に設置された屋根構造に関する。
【背景技術】
【０００２】
従来、太陽光を受光する太陽電池パネルを建物の勾配屋根の上面に設置する技術が知られている。このような技術で使用される太陽電池パネルとしては、例えば厚さ４〜５ｍｍ程度の白板強化ガラスや透明樹脂板等に太陽電池セルと呼ばれる太陽光発電セル基板を複数接着してなるものがある。また、光起電力を発生する素子として単結晶または多結晶のシリコンを主体としたものやアモルファスシリコンを主体としたものがある。
ところで、このような太陽電池は、素子の基材により違いはあるが、一般に素子温度が高くなると発電効率が低下する特性がある。
そこで、屋根と太陽電池パネルとの隙間を外部に連通する通気層とし、この通気層の軒先部側に設けられた軒先換気口等を介して、外気を通気層内に流入させることにより太陽電池パネルの熱を抜熱する技術が知られている（例えば、特許文献１参照）。
【先行技術文献】
【特許文献】
【０００３】
【特許文献１】特開平１１−０４４０３５号公報
【発明の概要】
【発明が解決しようとする課題】
【０００４】
ところで、上述の軒先換気口には換気ガラリが装着されており、外気を通気層内に流入させながら雨水や塵芥等が通気層内に入るのを防ぐことができるようになっている。
しかし、この換気ガラリは、外部に向かって開口しているものであることから、例えば台風などの程度の強い風雨時においては、換気ガラリに向かって吹きつける風とともに雨水が通気層内に入ってしまい、十分な防水性を発揮できない場合がある。
【０００５】
本発明の課題は、通気層への雨水浸入を確実に防ぎながら、外気を通気層内に確実に流入させることができ、十分な防水性を発揮することが可能な屋根構造を提供することを目的とする。
【課題を解決するための手段】
【０００６】
請求項１に記載の発明は、屋根構造であって、例えば図１〜図６に示すように、切妻形状の屋根１０の上面に、太陽光を受光する太陽電池パネル２０が設置されるとともに、これら屋根１０と太陽電池パネル２０との間に通気層３０が形成されており、
前記屋根１０の軒先側端部には軒樋１１が取り付けられており、
前記通気層３０の軒先側端部には軒先換気口３１が設けられており、
前記太陽電池パネル２０の軒先側端部と軒樋１１の外側縁部との間には、これら太陽電池パネル２０の軒先側端部と軒樋１１の外側縁部との間の部分を遮蔽する軒先カバー材１が前記軒先換気口３１を覆うように設けられており、
前記太陽電池パネル２０の軒先側端部と軒樋１１とは間隔をあけて配置されており、
これら太陽電池パネル２０の軒先側端部と軒樋１１との間には、前記軒先カバー材１の下方に位置するとともに、前記通気層３０の軒先換気口３１と連通する通気路３２が形成され、
前記軒先カバー材１には、前記軒樋１１の上方に位置するとともにこの軒先カバー材１を厚さ方向に貫通する複数の排水孔２…が形成された排水部１ａと、前記通気路３２の上方に位置するとともに複数の排水孔２…が形成されない送水部１ｂとが備えられ、
前記排水部１ａは、この排水部１ａの外側縁部に沿いこの排水部１ａの上面よりも深く形成された排水溝１ｃを有し、この排水溝１ｃは雨水を軒樋１１に流す複数の排水孔４…を有しており、
かつ、前記屋根１０の妻側端部には、下端部が、前記軒樋１１に連通する妻側樋１４が取り付けられており、
前記太陽電池パネル２０の妻側端部と妻側樋１４の外側縁部との間には、太陽電池パネル２０の妻側端部と妻側樋１４の外側縁部との間の部分を遮蔽する妻側カバー材３が設けられており、
前記妻側カバー材３には、この妻側カバー材３を厚さ方向に貫通する複数の排水孔４…および外側縁部に沿った排水溝３ａが前記妻側樋１４の上方に位置して形成されており、
さらに、前記妻側樋１４は、下端部が前記軒樋１１に連通され、前記軒先カバー材１と妻側カバー材３とは、軒先カバー材１の端部と妻側カバー材３の傾斜方向下端部とにそれぞれ接続される平面視略Ｌ字状の外曲がりカバー材５によって連結されており、この外曲がりカバー材５には、この外曲がりカバー材５を厚さ方向に貫通する複数の排水孔６…および排水溝５ｃが形成され、この外曲がりカバー材５の排水溝５ｃを介して、前記軒先カバー材の排水溝１ｃと、前記妻側カバー材３の排水溝３ａとが連通されていることを特徴とする。
【０００７】
請求項１に記載の発明によれば、前記太陽電池パネル２０の軒先側端部と軒樋１１の外側縁部との間の部分を遮蔽する軒先カバー材１には、この軒先カバー材１を厚さ方向に貫通する複数の排水孔２…が形成されているので、太陽電池パネル２０の上面から軒先に向かって流れる雨水を、前記軒先カバー材１の複数の排水孔２…を介して軒樋１１に流すことができる。
また、前記複数の排水孔２…を介して軒先カバー材１の裏側に入る外気は、軒先カバー材１の裏側に入り、軒先換気口３１に向けて角度を変えてから該軒先換気口３１を介して通気層３０内に流入するので、外気を通気層３０内に確実に流入させることができる。
雨水が通気層３０内に浸入するためには、外気とともに軒先カバー材１の裏側に入り、軒先換気口３１に向けて角度を変えてから該軒先換気口３１を介して通気層３０内に浸入しなければならず、極めて困難であるため、例え程度の強い風雨時であっても、雨水が外気とともに通気層３０内に浸入することを確実に防ぐことができる。すなわち、通気層３０への雨水浸入を確実に防ぎながら、外気を通気層３０内に確実に流入させることができ、十分な防水性を発揮することが可能となる。
さらに、前記複数の排水孔２…を介して軒先カバー材１の裏側に入り込んだ塵芥等も、雨水と同じく、軒先換気口３１に向けて角度を変えてから該軒先換気口３１を介して通気層３０内に浸入しなければならないため、塵芥等が通気層３０内に入り込むことも確実に防ぐことができる。
【０００９】
また、間隔をあけて配置された太陽電池パネル２０の軒先側端部と軒樋１１との間に通気路３２が形成されているので、前記複数の排水孔２…を介して軒先カバー材１の裏側に入る外気を、この通気路３２を通過させてから通気層３０内に流入させることができる。
したがって、雨水が通気層３０内に浸入するためには、外気とともに軒先カバー材１の裏側に入り、軒先換気口３１に向けて角度を変えてから通気路３２を通過し、それから軒先換気口３１を介して通気層３０内に浸入しなければならず、極めて困難である。このため、例え程度の強い風雨時であっても、雨水が外気とともに通気層３０内に浸入することをより確実に防ぐことができる。
【００１１】
しかも、前記軒先カバー材１は、前記通気路３２の上方に位置するとともに複数の排水孔２…が形成されない送水部１ｂを備えているので、この送水部１ｂによって通気路３２を確実に遮蔽することができる。
これによって、前記太陽電池パネル２０の上面から軒先に向かって流れる雨水は、前記送水部１ｂの上面を流れることになるので、この送水部１ｂによって雨水を前記排水部１ａへと導くことができ、この排水部１ａに形成された複数の排水孔２…を介して雨水をより確実に軒樋１１へと流すことができる。
【００１３】
さらに、前記太陽電池パネル２０の上面から軒先カバー材１の上面へと流れる雨水を前記排水溝１ｃで確実にキャッチし、キャッチした雨水を前記複数の排水孔２…を介して軒樋１１へと流すことができるので、雨水が軒先カバー材１の外側縁部から下方へと流れ落ちることを確実に防ぐことができる。
【００１５】
加えて、前記太陽電池パネル２０の上面から屋根１０の妻側端部へと流れる雨水を、前記妻側カバー材３の複数の排水孔４…を介して前記妻側樋１４へと流すことができ、さらに、この妻側樋１４を通じて雨水を軒樋１１へと流すことができるので、雨水が屋根１０の妻側端部から下方へと流れ落ちることを確実に防ぐことができる。
【発明の効果】
【００１６】
本発明によれば、太陽電池パネルの軒先側端部と軒樋の外側縁部との間の部分を遮蔽する軒先カバー材には、この軒先カバー材を厚さ方向に貫通する複数の排水孔が形成されているので、太陽電池パネルの上面から軒先に向かって流れる雨水を、軒先カバー材の複数の排水孔を介して軒樋に流すことができる。
また、複数の排水孔を介して軒先カバー材の裏側に入る外気は、軒先カバー材の裏側に入り、軒先換気口に向けて角度を変えてから該軒先換気口を介して通気層内に流入するので、外気を通気層内に確実に流入させることができる。
雨水が通気層内に浸入するためには、外気とともに軒先カバー材の裏側に入り、軒先換気口に向けて角度を変えてから該軒先換気口を介して通気層内に浸入しなければならず、極めて困難であるため、例え程度の強い風雨時であっても、雨水が外気とともに通気層内に浸入することを確実に防ぐことができる。すなわち、通気層への雨水浸入を確実に防ぎながら、外気を通気層内に確実に流入させることができ、十分な防水性を発揮することが可能となる。
しかも、雨量が多く軒先カバー材の複数の排水孔から流れることができなかった雨水を、軒先側の排水溝から軒樋へと流し、さらに、太陽電池パネルの上面から妻側端部に向かって流れる雨水を、妻側カバー材によって妻側樋から軒樋へと流すことができる。
【図面の簡単な説明】
【００１７】
【図１】本発明に係る屋根構造の一例を示す断面図である。
【図２】図１に示す屋根構造の斜視図である。
【図３】軒先カバー材、妻側カバー材、外曲がりカバー材を示す斜視図である。
【図４】破風外曲がりを示す斜視図である。
【図５】軒樋を示す分解斜視図である。
【図６】軒樋を示す斜視図である。
【図７】屋根の妻側端部を示す断面図である。
【図８】屋根の棟部を示す断面図である。
【発明を実施するための形態】
【００１８】
以下、図面を参照して本発明の実施の形態について説明する。
なお、本実施の形態においては、壁や床、屋根といった構成要素を予め工場にてパネル化しておき、施工現場でこれらのパネルを組み立てて建物を構築するパネル工法が採用されているが、従来の軸組工法や壁式工法の木造、鉄骨造、鉄筋コンクリート造等の建物にも適用することができる。
また、パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００１９】
図１は本発明に係る屋根構造の一例を示す断面図である。
図１において符号１０は、屋根を示す。この屋根１０は、棟部１０Ａと、この棟部１０Ａの両側に配置されるとともに、該棟部１０Ａから軒先に向かって傾斜する２つの屋根面１０Ｂ，１０Ｂとを備える切妻屋根として構成されている。
これら棟部１０Ａ両側の屋根面１０Ｂ，１０Ｂのうちの片側の屋根面１０Ｂには、太陽電池パネル２０が前記屋根面１０Ｂとの間に通気層３０を介在させた状態で設置されている。すなわち、屋根１０と太陽電池パネル２０との間に通気層３０が形成されている。また、この通気層３０の軒先側端部には軒先換気口３１が設けられている。
さらに、もう一方の屋根面１０Ｂには、図８に示すように、屋根１０の棟部１０Ａから軒先側に、例えばスレート等の複数の複数の屋根材１８…が葺設されている。
そして、前記太陽電池パネル２０の軒先側端部と軒樋１１の外側縁部との間には、これら太陽電池パネル２０の軒先側端部と軒樋１１の外側縁部との間の部分を遮蔽する軒先カバー材１が設けられており、この軒先カバー材１には、この軒先カバー材１を厚さ方向に貫通する複数の排水孔２…が形成されている。
【００２０】
ここで、前記屋根１０は、図１および図７に示すように、軒先側端部および建物の妻側端部が建物の外壁Ｗから離間しており、軒の出（ケラバの出）がある状態となっている。
前記屋根１０には、軒先側端部に、この軒先側端部に鉛直面を形成するための調整材１０ａが取り付けられており、妻側端部に、ケラバの出を調整するための調整材１０ｃ，１０ｃが取り付けられている。
また、屋根１０の上面には、屋根１０上面と前記調整材１０ａ，１０ｃ，１０ｃと覆うようにして透湿防水シート１０ｂが貼設されている。
さらに、屋根１０の軒先側端部の上面（屋根面１０Ｂの軒先側端部）には、先端が、前記調整材１０ａよりも軒先側に突出するとともに、該先端がフック状に形成された軒先水切り１０ｄが取り付けられている。
【００２１】
そして、軒先側端部に取り付けられた調整材１０ａの鉛直面には、図１，図５および図６に示すように、軒樋１１が取り付けられている。
この軒樋１１は、金属板を、側面視略逆台形状となるように折曲することによって形成されており、建物側縁部と外側縁部とは、内側に巻き込むように折曲加工されている。
また、この軒樋１１は、前記調整材１０ａに固定されるブラケット１１ｂを介して該調整材１０ａに取り付けられている。このブラケット１１ｂは、軒樋１１の形状に合わせて形成されており、一対の部材を重ね合わせて一つのブラケット１１ｂを構成している。
【００２２】
また、長さ方向に隣接する軒樋１１同士は、隣接する軒樋１１の連結部分の内周面に取り付けられる内継手１１ｃと、外周面に取り付けられる外継手１１ｄとによって継手されている。また、軒樋１１の端部には、底壁が上り勾配となった軒樋止まり１１ｅが連結されるようになっている。
また、軒樋１１と、ブラケット１１ｂと、外継手１１ｄと、軒樋止まり１１ｅとは、樋カバー１１ａによって被覆されており、下方から見上げた際に、これら軒樋１１等が目に入らないようになっている。
【００２３】
さらに、前記調整材１０ａの鉛直面には、図１に示すように、前記樋カバー１１ａと連結され、軒裏換気を行うための通気部材１２が取り付けられている。
この通気部材１２は、前記調整材１０ａの下方に位置するとともに、前記樋カバー１１ａの建物側面と隙間１２ｂをあけて配置される通気部１２ａを備えている。
また、この通気部１２ａの樋カバー１１ａ側面には、前記隙間１２ｂに開口する通気孔１２ｃが、屋根１０の軒先側端部の長さ方向、すなわち軒樋１１の長さ方向に沿って複数並設されている。
【００２４】
前記屋根１０の軒先側端部には、屋根１０を構成する框材の下部を切り欠くことによって切欠部１０ｅが形成されている。この切欠部１０ｅは、通気部材１２と軒裏とを連通する通風口として利用される。
なお、前記通気部１２ａ内は空隙となっており、前記複数の通気孔１２ｃ…と切欠部１０ｅとの間に、該通気部１２ａの空隙部分が位置している。
【００２５】
また、前記屋根１０の軒側において外壁Ｗから突出する部分の下面には、軒天井１３が設けられている。
この軒天井１３は、前記屋根１０の框材下面に固定された野縁１３ａを介して、外壁Ｗから突出する部分の下面に設けられている。
また、軒天井１３の傾斜方向上端部は、前記野縁１３ａに固定された軒天見切り材１３ｂによって覆われている。軒天井１３の傾斜方向下端部は、前記通気部材１２の建物側面に形成された凸部１２ｄによって下方からの視線を遮ることができる。
【００２６】
前記屋根１０の妻側端部に取り付けられた調整材１０ｃには、図７に示すように、妻側樋１４が取り付けられている。
この妻側樋１４は、金属板を折曲することによって形成されており、下端部が、前記軒樋１１に連通している。
また、屋根１０の妻側端部と、妻側樋１４と、調整材１０ｃ，１０ｃとは、破風１４ａによって被覆されており、下方から見上げた際に、これら妻側樋１４等が目に入らないようになっている。
【００２７】
さらに、前記屋根１０の妻側端部の下面には、前記破風１４ａと連結され、軒裏換気を行うための通気部材１４ｂが取り付けられている。
この通気部材１４ｂは、前記破風１４ａの建物側面と隙間１４ｃをあけて配置されており、この通気部材１４ｂの破風１４ａ側面には、前記隙間１４ｃに開口する通気孔１４ｄが、屋根１０の妻側端部の長さ方向に沿って複数並設されている。
【００２８】
また、前記屋根１０の妻側において外壁Ｗから突出する部分の下面には、登り軒天井１６が設けられている。
この登り軒天井１６は、前記屋根１０の框材下面に固定された野縁１６ａを介して、外壁Ｗから突出する部分の下面に設けられている。
また、登り軒天井１６の建物側端部は、前記野縁１６ａに固定された軒天見切り材１６ｂによって覆われている。登り軒天井１６の破風１４ａ側端部は、前記通気部材１４ｂの建物側面に形成された凸部１４ｅによって下方からの視線を遮ることができる。
【００２９】
なお、この破風１４ａと前記樋カバー１１ａとは、図２および図４に示すように、破風１４ａの傾斜方向下端部と樋カバー１１ａの端部とにそれぞれ接続される破風外曲がり１５によって連結されている。
この破風外曲がり１５の樋カバー１１ａ側端部と破風１４ａ側端部とには、この破風外曲がり１５と、破風１４ａ、樋カバー１１ａとを接続するための内継手１５ａがそれぞれ取り付けられている。
また、この破風外曲がり１５の樋カバー１１ａ側部と、破風１４ａ側部とが接する部分は、それぞれ角度が４５度に形成されており、これら２部材を当接させたときに角度が９０度となるように設定されている。なお、この破風外曲がり１５の角度は、屋根の形状に応じて適宜変更可能である。
【００３０】
前記片側の屋根面１０Ｂ上に設置される太陽電池パネル２０としては、例えば厚さ４〜５ｍｍ程度の白板強化ガラスや透明樹脂板等に太陽電池セルと呼ばれる太陽光発電セル基板を複数接着してなり、光起電力を発生する素子として単結晶または多結晶のシリコンを主体としたものやアモルファスシリコンを主体としたものが採用されている。
【００３１】
このような太陽電池パネル２０の周縁部には、該周縁部を囲む四角枠状のフレーム２１が設けられている。
なお、太陽電池パネル２０は、前記軒樋１１と間隔をあけて配置されている。すなわち、この太陽電池パネル２０の軒先側端部と軒樋１１との間には、前記屋根面１０Ｂ上に取り付けられた軒先水切り１０ｄが太陽電池パネル２０によって覆われずに露出している。
【００３２】
前記フレーム２１は、図１および図７に示すように、屋根１０の傾斜方向に沿って左右に配置される一対の縦枠部２２，２２と、これら縦枠部２２，２２の上下端部を接続し、かつ、屋根１０の桁方向に沿って配置される上枠部２３および下枠部２４とを備えている。これら縦枠部２２、上枠部２３および下枠部２４によって太陽電池パネル２０の防水および補強がなされている。
【００３３】
上枠部２３は、図１に示すように、アルミニウムの押出成形等により一体成形された長尺部材であって、太陽電池パネル２０が嵌め込まれる一対の突出片２３ａ，２３ａを備えている。
下枠部２４も同様に、アルミニウムの押出成形等により一体成形された長尺部材であって、太陽電池パネル２０が嵌め込まれる一対の突出片２４ａ，２４ａを備えている。
【００３４】
一方、縦枠部２２は、図７に示すように、断面略Ｌ字型の長尺部材であって、屋根１０の傾斜方向に沿って左右に配置される一対の縦枠部２２，２２は、屋根面１０Ｂ上に取り付けられる支持レール２５にそれぞれ固定される。各縦枠部２２，２２は、その上部に上述した上枠部２３および下枠部２４と同様に、太陽電池パネル２０が嵌め込まれる一対の突出片２２ａ，２２ａを備えている。また、これら各縦枠部２２，２２は、前記支持レール２５に固定される固定片２２ｂ，２２ｂとを備えている。
また、左右に配置される一対の縦枠部２２，２２は、その上面に開口が形成され、該開口にはカバー部材２２ｃがビスにより取り付けられるようになっている。
【００３５】
周縁部に上記のようなフレーム２１が設けられた太陽電池パネル２０は支持レール２５によって屋根面１０Ｂとの間に通気層３０を介在させた状態で支持されている。
支持レール２５は、屋根面１０Ｂに屋根１０の軒先から棟に向けて延在する長尺なものであり、該支持レール２５は、棟方向に所定間隔で複数設けられ、隣り合う支持レール２５，２５によって太陽電池パネル２０が支持されている。
支持レール２５は、図７に示すように、この支持レール２５を支持し、屋根面１０Ｂ上にビスで固定される支持部２６と、支持レール２５の長手方向に沿った両端に形成されるとともに、太陽電池パネル２０およびカバー部材２２ｃとの間から万が一侵入してきた雨水等が屋根面１０Ｂ上に落ちることを防ぐ止水部２７とを備えている。
【００３６】
上記のように構成された太陽電池パネル２０は以下のように屋根面１０Ｂに取り付けられている。
すなわち、太陽電池パネル２０には、その周縁部が縦枠部２２，２２、上枠部２３および下枠部２４の一対の突出片２２ａ，２３ａ，２４ａ内に嵌め込まれることによってフレーム２１が取り付けられている。また、図７に示すように、屋根面１０Ｂ上には、支持レール２５がその支持部２６がビスで固定されることによって取り付けられており、この支持レール２５に縦枠部２２が支持されることによって太陽電池パネル２０が取り付けられている。
このようにして太陽電池パネル２０が、前記屋根面１０Ｂとの間に通気層３０を介在させた状態で設けられている。
【００３７】
また、通気層３０は、図１に示すように、前記支持レール２５の長さ方向に沿って形成されており、この通気層３０の軒先側は、軒樋１１に向かって開口する前記軒先換気口３１とされている。
この軒先換気口３１は、図１および図７に示すように、前記屋根面１０Ｂと、前記フレーム２１の軒先近傍の下枠部２４と、左右に隣り合う支持レール２５，２５とで囲まれている部分を指している。また、上述のように太陽電池パネル２０は、前記軒樋１１と間隔をあけて配置されているので、この軒先換気口３１も、前記軒樋１１と間隔をあけて配置されている。
【００３８】
そして、前記太陽電池パネル２０の軒先側端部と軒樋１１の外側縁部との間の部分を遮蔽する軒先カバー材１の下方空間は、前記軒先換気口３１と連通する通気路３２とされている。すなわち、この通気路３２は、前記太陽電池パネル２０の軒先側端部と軒樋１１との間に、前記軒先カバー材１の下方に位置するようにして形成されている。
この通気路３２は、複数の排水孔２…が形成されない送水部１ｂによって遮蔽されている。すなわち、この送水部１ｂが通気路３２の屋根となり、雨水の浸入を防いでいる。
【００３９】
前記軒先カバー材１は、図１〜図３に示すように、金属板を折曲することによって形成されており、前記軒樋１１の上方に位置するとともに複数の排水孔２…が形成された排水部１ａと、前記通気路３２の上方に位置するとともに複数の排水孔２…が形成されない送水部１ｂと、軒先カバー材１の建物側縁部に位置し、前記送水部１ｂと一体形成される被覆部１ｄと、軒先カバー材１を屋根面１０Ｂ上に支持する支持部１ｅとを備えている。
また、前記排水部１ａは、この排水部１ａの外側縁部に沿って、かつ、この排水部１ａの上面よりも深く形成された排水溝１ｃを有している。
なお、前記被覆部１ｄは、前記フレーム２１の軒先近傍の下枠部２４の上面を被覆するようにして該下枠部２４に固定されており、軒先カバー材１の外側縁部は、前記樋カバー１１ａの外側縁部に固定されている。
【００４０】
前記複数の排水孔２…は、前記排水部１ａのうち、前記排水溝１ｃが形成されないフラットな部分に設けられる複数のフラット用排水孔２ａ…と、前記排水部１ａのうち、前記排水溝１ｃの部分に設けられる複数の溝用排水孔２ｂ…とを指しているものとする。
前記複数のフラット用排水孔２ａ…は、前記排水部１ａのフラット部分に、縦横に並設されており、前記複数の溝用排水孔２ｂ…は、前記排水溝１ｃの長さ方向に沿って並設されている。
なお、この溝用排水孔２ｂ…は、軒先カバー材１を構成する金属板を、前記排水溝１ｃを構成する底壁から、同じく排水溝１ｃを構成する建物側壁にかけて略Ｌ字状に切り欠くようにして形成されている。
【００４１】
以上のような軒先カバー材１は、軒先の長さ方向に沿って複数並設されている。また、軒先カバー材１を、前記太陽電池パネル２０の軒先側端部と軒樋１１の外側縁部との間に設ける際は、前記支持部１ｅは、前記軒先水切り１０ｄ上面に設置されている。そして、外側縁部を、前記樋カバー１１ａの外側縁部に固定するとともに、前記被覆部１ｄを、前記軒先近傍の下枠部２４に固定することによって、前記太陽電池パネル２０の軒先側端部と軒樋１１の外側縁部との間に設けられている。
【００４２】
一方、前記太陽電池パネル２０の妻側端部と妻側樋１４の外側縁部との間には、図２，図３，図７に示すように、これら太陽電池パネル２０の妻側端部と妻側樋１４の外側縁部との間の部分を遮蔽する妻側カバー材３が設けられている。
また、前記妻側カバー材３には、この妻側カバー材３を厚さ方向に貫通する複数の排水孔４…が形成されている。前記太陽電池パネル２０の上面から妻側カバー材３の上面へと流れる雨水は、これら複数の排水孔４…から前記妻側樋１４へと流れ落ち、この妻側樋１４に流れ落ちた雨水は、前記軒樋１１へと流れる。
【００４３】
前記妻側カバー材３は、金属板を折曲することによって形成されており、外側縁部に沿って形成された排水溝３ａと、建物側縁部に位置し、前記屋根１０の妻側端部近傍の縦枠部２２の上面を被覆する被覆部３ｂとを備えている。
また、この妻側カバー材３の被覆部３ｂは、前記縦枠部２２に固定されており、この妻側カバー材３の外側縁部は、前記破風１４ａの外側縁部に固定されている。
前記排水溝３ａは、後述する外曲がりカバー材５に形成される排水溝５ｃに連通しているものとする。また、この排水溝３ａによれば、妻側カバー材３の太陽電池パネル２０側から該妻側カバー材３の外側縁部へと流れる雨水を確実にキャッチすることができる。
【００４４】
また、前記軒先カバー材１と妻側カバー材３とは、図２および図３に示すように、軒先カバー材１の端部と妻側カバー材３の傾斜方向下端部とにそれぞれ接続される外曲がりカバー材５によって連結されている。さらに、この外曲がりカバー材５には、この外曲がりカバー材５を厚さ方向に貫通する複数の排水孔６…が形成されている。
なお、この外曲がりカバー材５と妻側カバー材３側端部とは、図３に示すように、継手７によって接続されている。また、外曲がりカバー材５と軒先カバー材１とは、図示しない接続具により接続されている。
【００４５】
また、この外曲がりカバー材５は、金属板を折曲することによって形成されるとともに、平面視において略Ｌ字状となるように形成されている。そして、前記軒樋１１および妻側樋１４の上方に位置するとともに複数の排水孔６…が形成された排水部５ａと、前記通気路３２の上方に位置するとともに複数の排水孔６…が形成されない送水部５ｂを備えている。また、前記排水部５ａは、この排水部５ａの外側縁部に沿って、かつ、この排水部１ａの上面よりも深く形成された排水溝５ｃを有しており、この排水溝５ｃを介して、前記軒先カバー材１の排水溝１ｃと、前記妻側カバー材３の排水溝３ａとが連通している。
【００４６】
また、この外曲がりカバー材５は、前記軒先カバー材１の被覆部１ｄとともに前記フレーム２１の軒先近傍の下枠部２４の上面を被覆する軒先側被覆部５ｄと、前記妻側カバー材３の被覆部３ｂとともに前記屋根１０の妻側端部近傍の縦枠部２２の上面を被覆する妻側被覆部５ｅと、外曲がりカバー材５を屋根面１０Ｂ上に支持する支持部５ｆとを備えている。
【００４７】
そして、以上のような外曲がりカバー材５は、外側縁部を、前記樋カバー１１ａおよび破風１４ａの外側縁部にそれぞれ固定し、前記軒先側被覆部５ｄを、前記軒先近傍の下枠部２４に固定するとともに、前記妻側被覆部５ｅを、前記屋根１０の妻側端部近傍の縦枠部２２に固定することによって、前記軒先カバー材１の端部と妻側カバー材３の傾斜方向下端部との間に設けられている。
【００４８】
前記複数の排水孔６…は、前記排水部５ａのうち、前記排水溝５ｃが形成されないフラットな部分に設けられる複数のフラット用排水孔６ａ…と、前記排水部５ａのうち、前記排水溝５ｃの部分に設けられる複数の溝用排水孔６ｂ…とを指しているものとする。
前記複数のフラット用排水孔６ａ…は、前記排水部５ａのフラット部分に、縦横に並設されており、前記複数の溝用排水孔６ｂ…は、前記排水溝５ｃの長さ方向に沿って並設されている。
なお、この溝用排水孔６ｂ…も、前記溝用排水孔２ｂ…と同じく略Ｌ字状に形成されている。
【００４９】
なお、屋根１０の棟部１０Ａは棟包み１７によって覆われている。
この棟包み１７は、屋根面１０Ｂ，１０Ｂ上に固定され、棟方向に沿って長尺な複数の下地材１７ａ…に対して固定されている。
前記屋根材１８が葺設された屋根面１０Ｂ側においては、棟部１０Ａ近傍に配置された屋根材１８の上面に下地材１７ａが一つ設けられている。この下地材１７ａには、この下地材１７ａの上面および軒先側面を覆う水切り１７ｄが取り付けられている。さらに、この水切り１７ｄが取り付けられた下地材１７ａ上に、もう一つの下地材１７ａが、前記棟包み１７の形状に対応するようにして設けられている。
【００５０】
一方、前記太陽電池パネル２０が設置された屋根面１０Ｂ側においては、前記屋根材１８側の屋根面１０Ｂに設けられ水切り１７ｄが取り付けられた下地材１７ａに対応した高さとなるように、２つの下地材１７ａ，１７ａが重ねて設けられている。
これら下地材１７ａ，１７ａには、前記太陽電池パネル２０の周囲に設けられるフレーム２１の上枠部２３に接続される水切り１７ｂが取り付けられている。この水切り１７ｂによって、棟包み１７と太陽電池パネル２０との間に形成される隙間を覆うことができるようになっている。
なお、棟部１０Ａ近傍の前記上枠部２３は、断面視略Ｌ字状に形成されるとともに屋根面１０Ｂに固定されたフレーム固定具２８に接合されている。また、このフレーム固定具２８によって通気層３０の棟部１０Ａ側開口が閉塞された状態となっている。
【００５１】
さらに、前記下地材１７ａ，１７ａ上には、もう一つの下地材１７ａが、前記棟包み１７の形状に対応するようにして設けられている。
前記棟包み１７は、以上のように棟部１０Ａに設けられた複数の下地材１７ａ…を包み込むようにして、該複数の下地材１７ａ…に固定されている。
【００５２】
次に、前記屋根１０に雨が降り注いだ場合の雨水の流れと空気の流れとについて説明する。
まず、前記屋根材１８が葺設された屋根面１０Ｂに降り注いだ雨水は、前記屋根材１８の表面を、軒先側および妻側に向かって流れていく。なお、屋根材１８が葺設された屋根面１０Ｂ側の屋根１０の妻側端部には、図示しない破風が取り付けられており、雨水が屋根１０の妻側端部から下方に流れ落ちないようになっている。
【００５３】
続いて、前記太陽電池パネル２０が設置された屋根面１０Ｂに降り注いだ雨水は、前記太陽電池パネル２０の表面を、軒先側および妻側に向かって流れていく。
妻側に流れた雨水は、前記妻側カバー材３の複数の排水孔４…から妻側樋１４へと流れ落ち、この妻側樋１４に流れ落ちた雨水は、前記軒樋１１へと流れる。
また、妻側カバー材３の太陽電池パネル２０側から該妻側カバー材３の外側縁部へと流れる雨水を、前記排水溝３ａでキャッチし、前記外曲がりカバー材５に形成される排水溝５ｃへと流すこともできる。
【００５４】
また、軒先側に流れた雨水は、前記軒先カバー材１の送水部１ｂおよび外曲がりカバー材５の送水部５ｂ上面を流れるとともに、前記軒先カバー材１の排水部１ａおよび外曲がりカバー材５の排水部５ａに形成された複数のフラット用排水孔２ａ…，６ａ…から軒樋１１へと流れ落ちる。
また、これら排水部１ａ，５ａの上面を流れる雨水を、前記排水溝１ｃ，５ｃでキャッチし、これら排水溝１ｃ，５ｃにそれぞれ形成された溝用排水孔２ｂ…，６ｂ…から軒樋１１へと流すことができる。
軒樋１１へと流れ落ちた雨水は、軒樋１１と連結される竪樋（図示せず）を通じて地面や排水路へと流される。
【００５５】
一方、空気は、前記軒先カバー材１の複数の排水孔２…と、前記外曲がりカバー材５の複数の排水孔６…とから、これら軒先カバー材１および外曲がりカバー材５の裏側へと入り、軒先換気口３１に向けて角度を変えてから該軒先換気口３１を介して通気層３０内に流入する。
なお、屋根１０に落ちる落ち葉は、前記複数の排水孔２…，４…，６…を通り抜ける困難であり、万が一、軒先カバー材１等の裏側に入ったとしても、軒先換気口３１側に角度を変えてから該軒先換気口３１を介して通気層３０内に入り込まなければならないため、空気とともに通気層３０内に入り込むことは極めて困難である。
また、落ち葉ほど大きくない比較的小さな塵芥等や雨水も、前記軒先カバー材１等の裏側に入ったとしても、軒先換気口３１側に角度を変えてから該軒先換気口３１を介して通気層３０内に入り込まなければならないため、空気とともに通気層３０内に入り込むことは極めて困難である。
さらに、前記太陽電池パネル２０の軒先側端部と軒樋１１との間には通気路３２が形成されているので、雨水や塵芥等が、通気層３０内に入り込むためには、この通気路３２を外気とともに昇っていかなければならず、通気層３０内に入り込むことは、より一層困難となる。
以上のようにして、通気層３０への雨水の浸入を防ぎながら、外気を通気層３０内に流入させることができる。
【００５６】
本実施の形態によれば、前記太陽電池パネル２０の上面から軒先に向かって流れる雨水を、前記軒先カバー材１の複数の排水孔２…を介して軒樋１１に流すことができる。
また、前記複数の排水孔２…を介して軒先カバー材１の裏側に入る外気は、軒先カバー材１の裏側に入り、軒先換気口３１に向けて角度を変えてから該軒先換気口３１を介して通気層３０内に流入するので、外気を通気層３０内に確実に流入させることができる。
雨水が通気層３０内に浸入するためには、外気とともに軒先カバー材１の裏側に入り、軒先換気口３１に向けて角度を変えてから該軒先換気口３１を介して通気層３０内に浸入しなければならず、極めて困難であるため、例え程度の強い風雨時であっても、雨水が外気とともに通気層３０内に浸入することを確実に防ぐことができる。すなわち、通気層３０への雨水浸入を確実に防ぎながら、外気を通気層３０内に確実に流入させることができ、十分な防水性を発揮することが可能となる。
【００５７】
また、間隔をあけて配置された太陽電池パネル２０の軒先側端部と軒樋１１との間に通気路３２が形成されているので、前記複数の排水孔２…を介して軒先カバー材１の裏側に入る外気を、この通気路３２を通過させてから通気層３０内に流入させることができる。
したがって、雨水が通気層３０内に浸入するためには、外気とともに軒先カバー材１の裏側に入り、軒先換気口３１に向けて角度を変えてから通気路３２を通過し、それから軒先換気口３１を介して通気層３０内に浸入しなければならず、極めて困難である。このため、例え程度の強い風雨時であっても、雨水が外気とともに通気層３０内に浸入することをより確実に防ぐことができる。
【００５８】
また、前記軒先カバー材１は、前記通気路３２の上方に位置するとともに複数の排水孔２…が形成されない送水部１ｂを備えているので、この送水部１ｂによって通気路３２を確実に遮蔽することができる。
これによって、前記太陽電池パネル２０の上面から軒先に向かって流れる雨水は、前記送水部１ｂの上面を流れることになるので、この送水部１ｂによって雨水を前記排水部１ａへと導くことができ、この排水部１ａに形成された複数の排水孔２…を介して雨水をより確実に軒樋１１へと流すことができる。
【００５９】
また、前記太陽電池パネル２０の上面から軒先カバー材１の上面へと流れる雨水を前記排水溝１ｃで確実にキャッチし、キャッチした雨水を前記複数の排水孔２…を介して軒樋１１へと流すことができるので、雨水が軒先カバー材１の外側縁部から下方へと流れ落ちることを確実に防ぐことができる。
【００６０】
また、前記太陽電池パネル２０の上面から屋根１０の妻側端部へと流れる雨水を、前記妻側カバー材３の複数の排水孔４…を介して前記妻側樋１４へと流すことができ、さらに、この妻側樋１４を通じて雨水を軒樋１１へと流すことができるので、雨水が屋根１０の妻側端部から下方へと流れ落ちることを確実に防ぐことができる。
【符号の説明】
【００６１】
１  軒先カバー材
２  排水孔
１０  屋根
１１  軒樋
２０  太陽電池パネル
３０  通気層
３１  軒先換気口
３２  通気路
【図１】
0005643054.tif 000002
【図２】
0005643054.tif 000003
【図３】
0005643054.tif 000004
【図４】
0005643054.tif 000005
【図５】
0005643054.tif 000006
【図６】
0005643054.tif 000007
【図７】
0005643054.tif 000008
【図８】
0005643054.tif 000009